(57)【特許請求の範囲】
【請求項１】
帯、紐状体の端末を挟み付けて、組み付けられる一対の挟持体を有し、この一対の挟持体における挟み付け側に、前記端末の挟み付けに伴って、当該帯、紐状体の端末部に突き立てられる刺突部を備えた端末カバーであって、
この端末カバーにおける前記一対の挟持体が、インサート体部分と、このインサート体部分をインサートとして、少なくとも、当該一対の挟持体のインサート体部分における前記刺突部が設けられていない側の外面部の全部又は一部に形成される表面成形部分とを有しており、
当該表面成形部分が、ゴム若しくはゴム状弾性を有するプラスチック材料又はゴム若しくはゴム状弾性を有し、かつ透光性を有するプラスチック材料により構成してあることを特徴とする帯、紐状体の端末カバー。
【発明の詳細な説明】
【０００１】
【発明の属する技術分野】
この発明は、各種の物品に使用される帯、紐状体の引き込み操作を容易にする目的や、こうした帯、紐状体の端末の装飾や、この端末の解け出しを防止する目的、使用物品における当該該帯、紐状体の差し通し位置からの当該帯、紐状体の抜け出しなどを防止する目的などから、かかる帯、紐状体の端末を覆うように、当該端末に取り付けられる端末カバーの改良に関する。
【０００２】
【従来の技術】
種々の衣服のスライドファスナーなどの引き紐、こうした衣服の開口部などの絞り紐、種々の袋物の開口部などの絞り紐、こうした袋物の吊下げバンドなどの帯、紐状体にあっては、こうした各種の物品に使用される帯、紐状体の引き込み操作を容易にしたり、こうした帯、紐状体の端末を装飾する目的などから、かかる帯、紐状体の端末を覆うように、カバーが取り付け、用いられている。
【０００３】
【発明が解決しようとする課題】
こうした端末カバーの前記帯、紐状体の端末部への取り付けを容易にすると共に、かかる端末部からのカバーの脱落を生じさせないようにする観点から、本出願人は、帯、紐状体の端末を挟み付けて組み付けられる一対の挟持体を有し、この一対の挟持体における挟み付け側に、前記端末の挟み付けに伴って当該端末部に突き立てられる刺突部を備えた端末カバーを検討するに至った。
【０００４】
しかるに、かかる帯、紐状体の端末カバーは、前記衣服などの引き紐、絞り紐など身の回り品に頻繁に使用されるものであること、また、前記引き紐などの引き込み操作をなす都度、この端末カバーにおける表面部に指などが触れるものであることから、かかる端末カバーにあっては意匠的効果を高めることと、操作時などにおける手触り感をソフトなものとすることとが特に要請されるところである。
【０００５】
前記意匠的効果を満足させる観点からは、端末カバーの外面に印刷などにより模様などを施すことが考えられるが、単純にかかる外面に模様などを施しただけでは、端末カバーを把持した前記引き紐などの引き込み操作などにあたりかかる模様などのかすれや、はがれ落ちを生じさせ易い。
【０００６】
また、操作時などにおける手触り感をソフトにする観点からは、端末カバー全体をゴム状の弾性を備えた素材により構成することが考えられるが、単純にこうした素材により端末カバーを構成した場合、端末カバーの剛性を確保し難く、特に、前記刺突部を前記一対の挟持体の組み付けにあたり帯、紐状体の端末部に十分に突き立てることができなくなり、端末カバーの帯、紐状体への取り付け状態が安定的に確保できなくなることが予想される。
【０００７】
また、前記各観点を満足させるべく、前記一対の挟持体の外面部に例えばゴム状弾性を備えた外面装飾部材などを被装することも考えられるが、かかる被装作業は必ずしも容易なものとはいえず、しかも、前記外面部に対する外面装飾部材の組み付け状態を経時的に確保し難く、こうした手法も採用し難いものであった。
【０００８】
そこでこの発明は、この種の帯、紐状体の端末カバーにおいて、第一に、かかる端末カバーの使用に支障を来さない態様で、模様などを帯、紐状体の端末カバーの外面側に経時的に変化しないように形成して、かかる端末カバーの外観性を向上させることを目的とする。また、第二に、端末カバーを把持などした場合における手触り感をソフトにするような構造を、端末カバーの外面側に容易かつ確実にもたせるようにすることを目的とする。
【０００９】
【課題を解決するための手段】
前記目的を達成するために、請求項１記載の発明にあっては、帯、紐状体の端末カバーが以下の（１）〜（４）の構成を備えたものとした。
（１）帯、紐状体の端末を挟み付けて、組み付けられる一対の挟持体を有し、
（２）この一対の挟持体における挟み付け側に、前記端末の挟み付けに伴って、当該帯、紐状体の端末部に突き立てられる刺突部を備えた端末カバーであって、
（３）この端末カバーにおける前記一対の挟持体が、インサート体部分と、このインサート体部分をインサートとして、少なくとも、当該一対の挟持体のインサート体部分における前記刺突部が設けられていない側の外面部の全部又は一部に形成される表面成形部分とを有しており、
（４）当該表面成形部分が、ゴム若しくはゴム状弾性を有するプラスチック材料又はゴム若しくはゴム状弾性を有し、かつ透光性を有するプラスチック材料により構成してある。
【００１０】
かかる構成によれば、前記一対の挟持体により帯、紐状体の端末を挟み付け、この端末部に前記刺突部を突き立てて、このように突き立てられた刺突部の一部を当該端末部に刺し付け、あるいは、強く押し付けさせることにより、この一対の挟持体間から帯、紐状体の端末が抜け出さないように、かかる端末部を前記一対の挟持体により覆うことができる。
【００１１】
また、この発明にあっては、前記インサート体部分の外面部の全部又は一部に、このインサート体部分をインサートして、前記プラスチック材料よりなる表面成形部分が形成してあるので、インサート体部分の外面部と表面成形部分との一体性を高く確保することができ、帯、紐状体の端末カバーの使用にあたりかかる表面成形部分がインサート体部分と分離してしまう事態を生じさせることが少ない。すなわち、この発明にかかる帯、紐状体の端末カバーによれば、インサート体部分の外面部の手触り感や、意匠的特性などを向上させる加工を容易かつ確実になすことができる。
【００１２】
前記表面成形部分を、ゴム若しくはゴム状弾性を有するプラスチック材料により構成すれば、インサート体部分に所要の剛性、特に、前記刺突部に前記帯、紐状体に十分に突き立てられ、この帯、紐状体を前記一対の挟持体間から抜け出させない固さをかかる刺突部に持たせた状態で、端末カバーを把持してなす所定の操作などにあたり指などが触れる端末カバーの外部面の手触り感をソフトなものとし、また、滑り止め効果を持たせることができ、さらには、この端末カバーが顔などに当たった場合でも強い痛みなどを感じさせないようにすることができる。
【００１３】
また、前記表面成形部分を、透光性を有するプラスチック材料により構成すれば、端末カバーに表面成形部分の輪郭と、この表面成形部分を通じて視認される前記インサート体部分の輪郭との二つの輪郭を持たせることができると共に、インサート体部分の色彩に深みを出させて端末カバー全体の質感を向上させることができ、端末カバーの意匠的効果を高めさせることが可能となる。
【００１４】
かかるプラスチック材料の透光性を調整することにより、あるいはまた、有色透明とすることにより、様々な意匠的効果を端末カバーに付与することができる。さらには、かかる透光性を有するプラスチック材料をゴム状弾性を有するものとすることにより、こうした透光性に基づく意匠的効果と前記手触り感をソフトなものとする効果との双方を端末カバーに付与することができる。
【００１５】
また、前記表面成形部分を、透光性を有するプラスチック材料により構成した場合には、インサート体部分の外面部に設けた溝や、凹部、突部さらには、かかる外面部に印刷などして施した文字、図形などの模様などの表示体を表面成形部分を通じて視認できるようにして、端末カバーの意匠的効果を高めることができると共に、これらの表示体を前記表面成形部分により覆っておくことにより、端末カバーの外面部を平坦に保った状態で、すなわち、端末カバーの使用にあたり前記溝、凹部、突部などが指などに当たって使用感を損なうことがないようにした状態で、端末カバーを構成することができる。
【００１６】
また、前記インサート体部分の外面部に印刷などにより施され、表面成形部分を通じて視認される模様が、かかる端末カバーの使用にあたりかすんだり、消え落ちたりしないようにすることができ、所期の意匠的効果を経時的に端末カバーに付与し続けることができる。
【００１７】
また、前記表面成形部分は、前記インサート体部分の外面部の全部に設けても、一部に設けても良い。例えば、前記表面成形部分の外郭形状が種々の図形などの輪郭形状をなすように、この表面成形部分をインサート体部分の外面部の一部に設けることができる。また、例えば、前記表面成形部分により囲まれた、当該表面成形部分の設けられていないインサート体部分の外面部の輪郭形状が、種々の図形などの輪郭形状をなすように、この表面成形部分をインサート体部分の外面部の一部に設けることができる。また、インサート体部分の外面部における角部をのみを覆うように、この表面成形部分をインサート体部分の外面部の一部に設けることができる。
【００１８】
インサート体部分は、プラスチック材料、金属材料、セラミック材料など、表面成形部分の成形にあたり成形型内にインサートとすることができる種々の材料で構成することができる。インサート体部分は、プラスチック材料、金属材料などの加熱溶融可能な材料を用いる場合には射出成形や、鋳込み成形、ダイカスト成形などにより、構成することができる。また、インサート体部分および表面成形部分の双方をプラスチック材料により構成する場合には、インサート体部分を構成するプラスチック材料の溶融温度を表面成形部分を構成するプラスチック材料の溶融温度よりも高く設定しておくことにより、インサート体部分の溶融、変形などを招くことなく表面成形部分の成形をなすことができる。
【００１９】
また、前記一対の挟持体におけるインサート体部分の外面部に突部を形成すると共に、この突部の突き出し端面と表面成形部分の表面とが略同面をなすように、当該外面部に当該表面成形部分を形成してあるようにすることもできる。
【００２０】
かかる構成によれば、前記突部の突き出し端面を巡る当該突部の縁により、端末カバーの外面部に端末カバーの使用にあたり消え落ちたりすることのない模様を形成させることができ、また、インサート体部分の色彩と表面成形部分との色彩とを異ならせておくことにより、かかる模様を目立たせるなどすることができ、かかる端末カバーの意匠的効果を高めることができる。また、かかる突部の突き出し端面と前記表面成形部分の表面とを略同面としてあることから、端末カバーの使用にあたっての使用感を損なわないようにすることができる。
【００２１】
【発明の実施の形態】
以下、図１ないし図３２に基づいて、この発明の典型的な実施の形態について、説明する。
【００２２】
なお、ここで図１は、この実施の形態にかかる端末カバーを、紐状体Ｗの端末部Ｗ’を覆うように当該端末部Ｗ’に装着した状態を示したものであり、また、図２は、かかる装着状態において、当該端末カバーを縦断面の状態として示している。
【００２３】
また、図３ないし図８は、端末カバーを構成する一対の挟持体１、１を組み付けた状態をそれぞれ示しており、特に図３は、端末カバーの幅広側から見た状態として、図４は、図３と異なる向きから見た状態として、図５は、図３の左右方向で断面にした状態で、図６は、図３の左側から見た状態で、図７は、図３の右側から見た状態として、さらに、図８は、図３の上下方向で断面にした状態で、それぞれ示している。
【００２４】
また、図９ないし図１６は、端末カバーを構成する一対の挟持体１、１を組み合わさない状態、すなわち、展開状態をそれぞれ示しており、特に図９は、組み合わせ時に内側となる側から見た状態として、図１０は、組み合わせ時に外側となる側から見た状態として、図１１は、図９の下側から見た状態として、図１２は、図９の左右方向で断面にした状態で、図１３は、図９の左側から見た状態で、図１４は、図９の右側から見た状態として、また、図１５は、図９の上下方向で、一対の挟持体１、１の一方を断面にした状態で、さらに、図１６は、図９の上下方向で、一対の挟持体１、１の他方を断面にした状態で、それぞれ示している。
【００２５】
また、図１７ないし図２４は、端末カバーのインサート体部分ｘを構成する一対の挟持体１、１を組み合わさない状態、すなわち、展開状態をそれぞれ示しており、特に図１７は、組み合わせ時に内側となる側から見た状態として、図１８は、組み合わせ時に外側となる側から見た状態として、図１９は、図１７の下側から見た状態として、図２０は、図１７の左右方向で断面にした状態で、図２１は、図１７の左側から見た状態で、図２２は、図１７の右側から見た状態として、また、図２３は、図１７の上下方向で、一対の挟持体１、１の一方を断面にした状態で、さらに、図２４は、図１７の上下方向で、一対の挟持体１、１の他方を断面にした状態で、それぞれ示している。
【００２６】
さらに、図２５、図２７、図２９、図３１は、ぞれぞれ、前記図１ないし図２４に示される構成例と異なる構成例を、それぞれ別個に示すものであり、図２６は図２５に示される構成例の、図２８は図２７に示される構成例の、図３０は図２９に示される構成例の、さらに、図３２は図３１に示される構成例の、それぞれ縦断面図である。
【００２７】
この実施の形態にかかる帯、紐状体の端末カバーは、図１および図２に特に示されるように、衣服、袋物などの各種の物品に用いられる帯、紐状体、ここでは紐状体Ｗの端末部Ｗ’に対し、この端末部Ｗ’を覆い隠すように取り付け、用いられる構成を備えている。
【００２８】
すなわち、この実施の形態にあっては、かかる端末カバーは、前記紐状体Ｗの端末部Ｗ’を挟み付けた状態で、相互に組み付けられる一対の挟持体１、１を有している。
【００２９】
この実施の形態にあっては、かかる一対の挟持体１、１はそれぞれ、細長い平板状をなす基板部１０と、この基板部１０における幅方向に亙る一辺を除く三辺の縁部に沿って、かかる基板部１０から突き出し状に形成された側板部１１とを有している。また、かかる基板部１０における側板部１１の形成された幅方向に亙る他辺は、中央側をかかる基板部１０の外方に向けて張り出させた湾曲状をなすように構成してあり、この他辺に沿って形成された側板部１１ａも湾曲状に形成されている。
【００３０】
また、この実施の形態にあっては、かかる一対の挟持体１、１は、前記側板部１１の設けられた基板部１０の面側を同一の向きに向けるように、この一対の挟持体１、１における前記湾曲状に構成された他辺部間に亙って形成されたヒンジ部２により連接された構成としてある。
【００３１】
かかるヒンジ部２は、一端部を前記一対の挟持体１、１の一方における前記湾曲された側板部１１ａの上端部に一体に連接させ、かつ、他端部をかかる一対の挟持体１、１における前記湾曲された側板部１１ａの上端部に一体に連接させた弾性板片２０として構成してある。かかるヒンジ部２は、その中央部２０ａを前記側板部１１の突き出す側に向けて張り出させるように湾曲状に形成してある。また、かかるヒンジ部２は、前記一対の挟持体１、１の前記湾曲された側板部１１ａの内縁と、この側板部１１ａへの当該ヒンジ部２の連接箇所との間に、間隔を開けてかかる側板部１１に連接されており、かかるヒンジ部２の両側において、一対の挟持体１、１の一方における前記側板部１１ａの上端面１１ａ’と、他方における前記側板部１１ａの上端面１１ａ’とを突き当てる、かかる一対の挟持体１、１の組み付け位置まで、かかるヒンジ部２の前記湾曲を正す向きにこのヒンジ部２を弾性変形させることができるようにしてある。
【００３２】
また、前記一対の挟持体１、１の一方は、前記基板部１０における長さ方向に亙る両辺に形成された側板部１１ｂの上端部に、当該側板部１１の突き出し方向外方に向けて突き出すように一体に形成された、嵌込み片部１１ｃをそれぞれ有している。この嵌込み片部１１ｃは、前記基板部１０の長さ方向に沿うように形成してある。また、この嵌込み片部１１ｃの突設位置と、前記基板部１０の長さ方向に沿った両辺に設けられた側板部１１ｂの上端部外縁との間には間隔が形成してあり、この間隔にあるかかる側板部１１ｂの上端面１１ｂ’が、前記一対の挟持体１、１を前記ヒンジ部２を変形させて組み付けた際に、かかる一対の挟持体１、１の他方の長さ方向に沿った両辺に形成された側板部１１ｂの上端面１１ｂ’に突き当たる構成としてある。（以下では、前記嵌込み片部１１ｃを有する挟持体１の一方を第一の挟持体１ａと、この嵌込み片部１１ｃを有しない挟持体１の他方を第二の挟持体１ｂという。）
【００３３】
そして、この実施の形態にあっては、前記ヒンジ部２を変形させて、前記第一の挟持体１ａの前記各側板部１１ａ、１１ｂ…の上端面１１ａ’、１１ｂ’…と、前記第二の挟持体１ｂの前記各側板部１１ａ、１１ｂ…の上端面１１ａ’、１１ｂ’…とがそれぞれ突き当てられる位置まで、両挟持体１ａ、１ｂのいずれか一方又は双方を前記ヒンジ部２を中心に回動させ、かかる第一、第二の挟持体１ａ、１ｂを組み合わせた状態において、かかる第一の挟持体１ａの前記嵌込み片部１１ｃが第二の挟持体１ｂの長さ方向に亙る側板部１１ｂの内側に入り込み、この側板部１１ｂの内側面に密着されるように、第二の挟持体１ｂにおける長さ方向に亙る両側板部１１ｂ、１１ｂの内側面間の間隔が設定してある。
【００３４】
また、この実施の形態にあっては、前記第一、第二の挟持体１ａ、１ｂにおける前記側板部１１ａ、１１ｂが設けられていない前記基板部１０の辺と、この基板部１０の長さ方向に亙る両辺との接するコーナー部１２にそれぞれ、この第一、第二の挟持体１ａ、１ｂの前記組み合わせ状態において相互に掛合し合い、この組み合わせ状態を維持させる掛合手段３がそれぞれ設けてある。
【００３５】
この実施の形態にあっては、第一の挟持体１ａにおける長さ方向に沿った側板部１１ｂにおける前記コーナー部１２側にそれぞれ、かかる側板部１１ｂの突き出す向きと同じ向きにこの側板部１１ｂの上端から突き出す弾性板片３０を設け、かつ、この弾性板片３０における先端部外側に、掛合突部３０ａを形成させて前記掛合手段３の一方を形成すると共に、第二の挟持体１ｂにおける長さ方向に沿った側板部１１ｂにおける前記コーナー部１２側において、この側板部１１ｂの上方および内側に張り出す張り出し部３１を形成し、この張り出し部３１により当該側板部１１ｂの突き出し基部側を向いた掛合面３１ａを形成させて前記掛合手段３の他方を形成させている。
【００３６】
そして、この実施の形態にあっては、前記第一、第二の挟持体１ａ、１ｂの前記各側板部１１ａ、１１ｂ…の上端面１１ａ’、１１ｂ’…をそれぞれ突き合わせる位置に向けて前記ヒンジ部２を中心に両挟持体１ａ、１ｂの一方又は双方を回動させることに伴って、前記第一の挟持体１ａにおける弾性板片３０の掛合突部３０ａが前記第二の挟持体１ｂにおける張り出し部３１に突き当たって内向きに一旦弾性変形され、この後、前記向きに向けてさらに前記回動をなすことにより、前記弾性板片３０の掛合突部３０ａに前記張り出し部３１を乗り越えさせ、この乗り越え位置でこの弾性板片３０を弾性復帰させて、このように弾性復帰された当該弾性板片３０の掛合突部３０ａを前記掛合面３１ａに掛合させることができる構成としてある。
【００３７】
この結果、この実施の形態にあっては、前記第一、第二の挟持体１ａ、１ｂの前記各側板部１１ａ、１１ｂ…の上端面１１ａ、１１ｂ…をそれぞれ突き合わせる位置まで、前記ヒンジ部２を中心に両挟持体１ａ、１ｂの一方又は双方を回動させることにより、前記掛合手段３を掛合し合わせてこの掛合手段３が設けられた側において両挟持体１ａ、１ｂが離れ出さないようにすることができ、ここで、両挟持体１ａ、１ｂはこの掛合手段３が設けられている側と反対の側においては前記ヒンジ部２により連接されていることから、この掛合手段３を掛合により前記側板部１１の突き出し側の面を向きあわせ、かつ、それぞれの各側板部１１ａ、１１ｂ…の上端面１１ａ’、１１ｂ’…を突き合わせた両挟持体１ａ、１ｂの組み合わせ状態を維持することができる。（以下では、この組み合わせ状態を、第一の挟持体１ａと第二の挟持体１ｂとの組み付け状態Ｗａという。）
【００３８】
この実施の形態にあっては、前記ヒンジ部２が設けられている側と反対の側において前記第一、第二の挟持体１ａ、１ｂに側板部１１が設けられていないことから、前記組み付け状態Ｗａにおいて、前記ヒンジ部２が設けられた側と反対の側に、組み付け状態Ｗａにある両挟持体１ａ、１ｂ間の内部空間に通じる開口Ｚが形成される。
【００３９】
そして、この実施の形態にあっては、前記第一、第二の挟持体１ａ、１ｂにおける前記組み付け状態Ｗａにおいて向き合う前記基板部１０面にそれぞれ、この組み付け状態Ｗａにおいて両挟持体１ａ、１ｂ間に挟み込まれた前記紐状体Ｗに突き立てられる複数の刺突部４、４…が形成されている。各刺突部４、４…はいずれも、先端側に向けて次第に先細りとなる略円錐状をなしており、かかる先端部を鋭く尖らせている。
【００４０】
この実施の形態にあっては、前記第一の挟持体１ａが、この第一の挟持体１ａの幅方向に間隔を開けて並設された一対の刺突部４、４を、当該第一の挟持体１ａの長さ方向に向けて互いに略等しい間隔を開けて三組有している。この第一の挟持体１ａに設けられた刺突部４は、前記組み合わせ状態において形成される開口Ｚ側から前記ヒンジ部２側に向けて、当該ヒンジ部２側に次第に近付くように、傾斜した構成としてある。
【００４１】
一方、前記第二の挟持体１ｂは、この第二の挟持体１ｂの長さ方向に向けて互いに略等しい間隔を開けて三つの刺突部４、４…を有している。この第二の挟持体１ｂに設けられた刺突部４は、この第二の挟持体１ｂを構成する前記基板部１０面に略直交する向きに突き出すように形成してある。また、かかる第二の挟持体１ｂに設けられた刺突部４は、前記組み付け状態Ｗａにおいて、第一の挟持体１ａの前記一対の刺突部４、４間に収まる位置に形成してある。（図５）
【００４２】
この結果、この実施の形態にあっては、前記第一、第二の挟持体１ａ、１ｂの間に前記紐状体Ｗの端末部Ｗ’を挟み込み、かつ、端末部Ｗ’を挟み込まれた紐状体Ｗが前記開口Ｚから引き出されるように両挟持体１ａ、１ｂを前記組み付け状態Ｗａにすることのみをもって、挟み込まれたかかる端末部Ｗ’に前記各刺突部４、４…を突き立てて、この端末部Ｗ’をかかる第一、第二の挟持体１ａ、１ｂによって覆った状態を安定的に維持することができる。
【００４３】
特に、この実施の形態にあっては、前記第一の挟持体１ａに設けられている刺突部４が、前記のように傾斜されていることから、この実施の形態にかかる端末カバー内から紐状体Ｗの端末が抜け出す向きの力が、この紐状体Ｗに加えられた場合、かかる第一の挟持体１ａの刺突部４の尖端がより強くないしは深く当該紐状体Ｗに突き立てられるので、かかる紐状体Ｗの端末部Ｗ’を覆った状態をより安定的に維持することができる。
【００４４】
なお、この実施の形態にあっては、前記第一の挟持体１ａの複数の刺突部４、４…が、間に第二の挟持体１ｂの刺突部４、４…列を収める一対の刺突部４、４を三組設けて構成してあることから、例えば、スライドファスナーのスライダーに通され、両端末部Ｗ’を端末カバーで覆ってループ状にされる引き紐Ｗなど、比較的細い紐状体Ｗにあっても、図２に示されるように、第二の挟持体１ｂにおける刺突部４列を挟んだ両側に当該紐状体Ｗの端末部Ｗ’をそれぞれ配した後、前記第一、第二の挟持体１ａ、１ｂを前記組み付け状態Ｗａとすることにより、第一の挟持体１ａにおける刺突部４をかかる紐状体Ｗの端末部Ｗ’にそれぞれ突き立てることができ、こうした紐状体Ｗにも支障なく用いることができる。
【００４５】
また、この実施の形態にかかる端末カバーにあっては、前記一対の挟持体１、１が、インサート体部分ｘと、このインサート体部分ｘをインサートとして、このインサート体部分ｘの外面部ｘ’に形成される表面成形部分ｙとを有している。
【００４６】
より詳細には、この実施の形態にあっては、かかる端末カバーの機能を発揮させるすべての構成を備えた前記一対の挟持体１、１としてインサート体部分ｘを成形した後、（図１７ないし図２４）このインサート体部分ｘを、典型的には前記表面成形部分ｙを射出成形する成形型内のインサートとして、おおむね以下の（１）〜（３）の箇所に前記表面成形部分ｙを形成させている。（図９ないし図１６）
【００４７】
（１）一対の挟持体１、１における基板部１０のインサート体部分ｘの前記刺突部４が設けられていない側の面、すなわち、前記の組み付け状態Ｗａにおいて端末カバーの外側に向けられる外面部ｘ’ａ
（２）一対の挟持体１、１における各側板部１１ａ、１１ｂ…のインサート体部分ｘの外側の面、すなわち、前記の組み付け状態Ｗａにおいて端末カバーの外側に向けられる当該各側板部１１ａ、１１ｂ…の外面部ｘ’ｂ（第一の挟持体１ａの弾性板片３０の立設位置近傍における当該第一の挟持体１ａの長さ方向に亙る側板部１１ｂの外面部ｘ’、および、第二の挟持体１ｂの張り出し部３１の設けられた位置近傍における当該第二の挟持体１ｂの長さ方向に亙る側板部１１ｂの外面部ｘ’を除く）
（３）一対の挟持体１、１におけるヒンジ部２のインサート体部分ｘであって、前記組み付け状態Ｗａにおいて端末カバーの外側に向けられる当該ヒンジ部２の外面部ｘ’ｃ
【００４８】
また、この実施の形態にあっては、前記表面成形部分ｙが、前記一対の挟持体１、１における長さ方向に沿った側板部１１の先端側から、この側板部１１と基板部１０とが連設された基部に亙る長さの複数の溝部５、５…を有するように、前記インサート体部分ｘの外面部ｘ’に形成された構成としてある。この結果、この実施の形態にあっては、かかる複数の溝部５、５…により、端末カバーの意匠的特性の向上が図られると共に、この複数の溝部５、５…を端末カバーの把持操作等における滑り止めとして機能させることができる。
【００４９】
前記表面成形部分ｙを、ゴム若しくはゴム状弾性を有するプラスチック材料により構成すれば、表面部に柔軟性を備えた端末カバーを得ることができる。
【００５０】
また、前記表面成形部分ｙを、透光性を有するプラスチック材料により構成すれば、前記インサート体部分ｘの輪郭を外部から視認できる意匠的特性を端末カバーに付与することができる。
【００５１】
なお、前記インサート体部分ｘおよび表面成形部分ｙの双方をプラスチック材料により構成する場合には、インサート体部分ｘを構成するプラスチック材料の溶融温度を表面成形部分ｙを構成するプラスチック材料の溶融温度よりも高く設定しておくことにより、インサート体部分ｘの溶融、変形などを招くことなく表面成形部分ｙの成形をなすことができる。
【００５２】
前記表面成形部分ｙが形成されない部分を、前記組み付け状態Ｗａにおいて外側となる一対の挟持体１、１の基板部１０に設け、この表面成形部分ｙが形成されない部分が凹部６となるようにすることもある。（図２５、図２６）この場合には、かかる凹部６の輪郭により、端末カバーの外側に文字、図形等の模様を表すことができる。
【００５３】
また、前記インサート体部分ｘの外面部ｘ’に突部７を形成させておくと共に、この突部７の突き出し端面７ａを覆わないように、前記表面成形部分ｙを形成し、かつ、この突部７の突き出し端面７ａと表面成形部分ｙの外面とが略同面となるようにすることもある。（図２７、図２８）この場合には、前記突部７の輪郭により、端末カバーの外側に文字、図形等の模様を表すことができると共に、端末カバーの外面を平坦に整えることができる。
【００５４】
また、前記インサート体部分ｘの外面部ｘ’に突部８を形成させておくと共に、この突部８の突き出し端面８ａを覆うように、前記表面成形部分ｙを形成し、かつ、かかる表面成形部分ｙを透光性を有するプラスチック材料により構成することもある。（図２９、図３０）この場合には、前記表面成形部分ｙを通じて、前記インサート体部分ｘに設けた前記突部８を視認できる意匠的効果を得ることができる。
【００５５】
また、前記インサート体部分ｘの外面部ｘ’に文字、図形、記号などの表示部分９を印刷などにより施しておくと共に、この表示部分９を覆った状態で前記表面成形部分ｙを形成し、かつ、かかる表面成形部分ｙを透光性を有するプラスチック材料により構成することもある。（図３１、図３２）この場合には、前記表面成形部分ｙを通じて、前記インサート体部分ｘに設けた前記表示部分９を視認できる意匠的効果を得ることができる。
【００５６】
【発明の効果】
この発明にかかる帯、紐状体の端末カバーによれば、前記インサート体部分の外面部に、このインサート体部分をインサートして、前記ゴム又はゴム状弾性若しくは透光性を有するプラスチック材料よりなる表面成形部分が形成してあるので、インサート体部分の外面部と表面成形部分との一体性を高く確保することができ、端末カバーの使用にあたりかかる表面成形部分がインサート体部分と分離してしまう事態を生じさせることが少なく、また、インサート体部分の外面部の手触り感や、意匠的特性などを向上させる加工を、かかる表面成形部分により、端末カバーの機能を損なうことなく、容易かつ確実になすことができる。
【図面の簡単な説明】
【図１】端末カバーの使用状態を示す側面図
【図２】図１における縦断面図
【図３】端末カバーの側面図（組み付け状態Ｗａ）
【図４】図３と異なる向きから見た端末カバーの側面図（組み付け状態Ｗａ）
【図５】図３におけるＡ−Ａ線断面図
【図６】図３および図４と異なる向きから見た端末カバーの側面図（組み付け状態Ｗａ）
【図７】図３、図４および図６と異なる向きから見た端末カバーの側面図（組み付け状態Ｗａ）
【図８】図３におけるＢ−Ｂ線断面図
【図９】端末カバーの展開状態を示す側面図
【図１０】図９と異なる向きから見た側面図（展開状態）
【図１１】図９および図１０と異なる向きから見た側面図（展開状態）
【図１２】図９におけるＣ−Ｃ線断面図
【図１３】図９、図１０および図１１と異なる向きから見た側面図（展開状態）
【図１４】図９、図１０、図１１および図１３と異なる向きから見た側面図（展開状態）
【図１５】図９におけるＤ−Ｄ線断面図
【図１６】図９におけるＥ−Ｅ線断面図
【図１７】端末カバーのインサート体部分ｘを示す側面図
【図１８】図１７と異なる向きから見た側面図
【図１９】図１７および図１８と異なる向きから見た側面図
【図２０】図１７におけるＦ−Ｆ線断面図
【図２１】図１７、図１８および図１９と異なる向きから見た側面図
【図２２】図１７、図１８、図１９および図２１と異なる向きから見た側面図
【図２３】図１７におけるＧ−Ｇ線断面図
【図２４】図１７におけるＨ−Ｈ線断面図
【図２５】端末カバーの構成例を示す側面図（展開状態）
【図２６】図２５におけるＩ−Ｉ線断面図
【図２７】端末カバーの構成例を示す側面図（展開状態）
【図２８】図２７におけるＪ−Ｊ線断面図
【図２９】端末カバーの構成例を示す側面図（展開状態）
【図３０】図２９におけるＫ−Ｋ線断面図
【図３１】端末カバーの構成例を示す側面図（展開状態）
【図３２】図３１におけるＬ−Ｌ線断面図
【符号の説明】
Ｗ  紐状体
Ｗ’  端末部
ｘ  インサート体部分
ｘ’  外面部
ｙ  表面成形部分
１  挟持体
４  刺突部
【図１】
0003958854.tif 000002
【図２】
0003958854.tif 000003
【図３】
0003958854.tif 000004
【図４】
0003958854.tif 000005
【図５】
0003958854.tif 000006
【図６】
0003958854.tif 000007
【図７】
0003958854.tif 000008
【図８】
0003958854.tif 000009
【図９】
0003958854.tif 000010
【図１０】
0003958854.tif 000011
【図１１】
0003958854.tif 000012
【図１２】
0003958854.tif 000013
【図１３】
0003958854.tif 000014
【図１４】
0003958854.tif 000015
【図１５】
0003958854.tif 000016
【図１６】
0003958854.tif 000017
【図１７】
0003958854.tif 000018
【図１８】
0003958854.tif 000019
【図１９】
0003958854.tif 000020
【図２０】
0003958854.tif 000021
【図２１】
0003958854.tif 000022
【図２２】
0003958854.tif 000023
【図２３】
0003958854.tif 000024
【図２４】
0003958854.tif 000025
【図２５】
0003958854.tif 000026
【図２６】
0003958854.tif 000027
【図２７】
0003958854.tif 000028
【図２８】
0003958854.tif 000029
【図２９】
0003958854.tif 000030
【図３０】
0003958854.tif 000031
【図３１】
0003958854.tif 000032
【図３２】
0003958854.tif 000033